(57)【要約】【課題】フルハーネス型安全帯についてベルト、ランヤード、フックが絡むことなく、掛け止めておくことができ、また作業者が容易に装着することもでき、更に作業現場に必要な工具類も合わせて保管する。【解決手段】フック部２と、この下部に回動自在に連結されたハンガー本体部３と、から成り、フック部２は、パイプ等の棒状部材Ｐに掛け止める吊下げ用フック５を有し、ハンガー本体部３は、フック部２との連結部４を両方から挟むように、ハンガー本体部３の上部に対称的に２か所形成された、フルハーネス型安全帯５の肩ベルト５２をそれぞれ掛け止める肩ベルト用掛止め部９と、二丁掛けランヤード６０先端の各フック６１を掛け止める二丁掛け用穴部１０と、一丁掛けランヤード６０先端のフック６１を掛け止める一丁掛け用穴部１１とを有する。【選択図】図１
2019092941.tif 000002
【特許請求の範囲】
【請求項１】
フルハーネス型安全帯（５１）の各ハーネス部分を主に掛け止めるフルハーネス型安全帯用ハンガー（１）であって、
鉤形状を有するフック部（２）と、該フック部（２）の下部に回動自在に連結されたハンガー本体部（３）と、から成り、
前記フック部（２）は、パイプ等の棒状部材（Ｐ）に掛け止める吊下げ用フック（５）を有し、
前記ハンガー本体部（３）は、前記フック部（２）との連結部（４）を両方から挟むように、該ハンガー本体部（３）の上部に対称的に２か所形成された、フルハーネス型安全帯（５１）の肩ベルト（５２）をそれぞれ掛け止める肩ベルト用掛止め部（９）と、
該ハンガー本体部（３）の両側に２か所開けられた、二丁掛けランヤード（６０）先端の各フック（６１）をそれぞれ掛け止める二丁掛け用穴部（１０）と、
該ハンガー本体部（３）の上下方向の中心線（ＣＬ）上に１か所開けられた、一丁掛けランヤード（６０）先端のフック（６１）を掛け止める一丁掛け用穴部（１１）と、を有する、ことを特徴とするフルハーネス型安全帯用ハンガー。
【請求項２】
前記フック部（２）と前記ハンガー本体部（３）の厚み（Ｌ１）は、該ハンガー本体部（３）長手方向の全長（Ｌ２）に対して１／１０〜１／１５程度の厚みを有する、ことを特徴とする請求項１のフルハーネス型安全帯用ハンガー。
【請求項３】
前記フック部（２）の吊下げ用フック（５）の上部に、ヘルメット（６４）の顎ひも等を掛け止めるひも類用フック（７）を、該吊下げ用フック（５）の下方に、ＩＤカード等のひも類を掛け止めるひも類用突起（８）を、それぞれ形成した、ことを特徴とする請求項１又は２のフルハーネス型安全帯用ハンガー。
【請求項４】
前記ハンガー本体部（３）の下部に、工具用ベルト（６３）を掛け止める工具ベルト用掛止め部（１２）を、該工具ベルト用掛止め部（１２）の引っ掛かり部（１２ａ）が該ハンガー本体部（３）の上下方向の中心線（ＣＬ）の近傍に配置されるように、該中心線（ＣＬ）を挟んで２か所形成した、ことを特徴とする請求項１、２又は３のフルハーネス型安全帯用ハンガー。
【請求項５】
前記ハンガー本体部（３）の一面に連結用凹部（２１）を形成し、該ハンガー本体部（３）の他面には該連結用凹部（２１）が着脱自在に嵌合する連結用突起（２２）を形成した、ことを特徴とする請求項１又は２のフルハーネス型安全帯用ハンガー。
【発明の詳細な説明】
【技術分野】
【０００１】
本発明は、高所で作業する作業者が装着するフルハーネス型安全帯を保管する際に用いるフルハーネス型安全帯用ハンガーに関する。
【背景技術】
【０００２】
フルハーネス型安全帯は、高所で作業する作業者の墜落を阻止する際に、これを装着している作業者の身体が安全帯から抜け出さないように複数のベルトで構成されている。このフルハーネス型安全帯は、厚生労働省により、落下のおそれのある高所又はそれに類する場所で作業する作業者は、フルハーネス型安全帯を身体に装着すると共に、その一部をロープ（ランヤード）を介して周囲の固定体に連結することが義務付けられている。このフルハーネス型安全帯により、高所作業の現場から落下しても作業者は安全に宙吊りとなるようにしている。
【０００３】
図８の作業者前面側の状態図に示すように、フルハーネス型安全帯５１は、肩や腿（もも）、胸などの複数のベルトで構成され、これによって身体が安全帯から抜け出すことや、胸部・腹部を過大に圧迫するリスクを低減するようになっている。フルハーネス型安全帯５１は、作業者の両肩から胸に掛ける肩ベルト５２と、この肩ベルト５２の胸の部分でバックル５３により着脱自在に連結する胸ベルト５４と、肩ベルト５２の下部は胴ベルト５５につながれている。この胴ベルト５５には、両太ももを差し込む腿ベルト５６がそれぞれつながれている。胴ベルト５５はバックル５７により着脱自在になっている。
【０００４】
図９の作業者後面側の状態図に示すように、フルハーネス型安全帯５１は、両肩ベルト５２の中間はＤ環５８に通されている。更に、両肩ベルト５２の他端は胴ベルト５５につながれている。このＤ環５８には、ショックアブソーバー５９を介してランヤード６０がつながれている。このランヤード６０の先端にフック６１が付けられている。各腿ベルト５６には広がりを防止する骨盤ベルト６２がつながれている。
いわゆる一丁掛けは、このランヤード６０が１本のものである。図示例の二丁掛けは、このランヤード６０が２本のものである。フック６１の掛け替え時の墜落リスクを低減させるため、２丁掛けが一般的である。
【０００５】
このように構成されたフルハーネス型安全帯５１は、宙つり状態でも身体の重心位置（腰部付近）より頭部側にＤ環５８を維持するため、着用者の姿勢が“逆さま姿勢”になることを防止する機能もある。ショックアブソーバー５９は、墜落阻止時に発生する衝撃荷重を大幅に低減するためのものである。これにより、ランヤード６０に作用する軸力が小さくなるため、フルハーネス型安全帯５１に作用する荷重が小さくなる。更に、鋭利な角部等に接触した際に生じる摩擦力を小さくできるため、ショックアブソーバー５９を備えていないランヤード６０に比べ、ランヤード６０の切断リスクを低減することができる。
【０００６】
このようなフルハーネス型安全帯５１を使用しない時には整然と保持しておくことができ、これを使用する際に容易かつ迅速に装着することができるフルハーネス型安全帯用のハンガーに関する技術が提案されている。例えば特許文献１の特開２００４−４１４７１号公報「ハーネス安全帯用のハンガー」のように、左右対称形の吊掛部を基部の両側に配置すると共に該基部の下部を中心に回動自在に取り付け前記吊掛部上部の前記基部に接する部分に前記基部に対し回動不能に錠止する錠止機構を設け、前記基部の上部に操作部を設け、該操作部の操作により前記錠止機構を解除して前記吊掛部が回動するようにし、前記吊掛部が回動しない状態においてハーネス安全帯の２本の肩掛けベルトを前記吊掛部の上辺にそれぞれ係止するようにしたハーネス安全帯用のハンガーが提案されている。
【先行技術文献】
【特許文献】
【０００７】
【特許文献１】特開２００４−４１４７１号公報
【発明の概要】
【発明が解決しようとする課題】
【０００８】
このように、フルハーネス型安全帯５１には多数のベルト５２，５４、５５，５６、ランヤード６０（ロープ）、フック６１が備えられた装備であるため、その保管が煩雑であった。一人分のフルハーネス型安全帯５１であれば、保管と装着が容易である。しかし、複数のフルハーネス型安全帯５１を重ねて保管しておくと、ベルト５２，５４、５５，５６とフック６１それぞれが絡むことが多く、それらを外すために多くの時間を要し、また装着に際しても時間を取られることが多かった。
【０００９】
また、使用後のフルハーネス型安全帯５１については、ロッカーや棚に丸めて置いた状態にすることが多かった。あるいはパイプ等の棒状部材にそのまま掛けた状態にすることも多かった。このように乱暴に扱った状態のフルハーネス型安全帯５１について、使用する際の装着に時間がかかるという問題を有していた。フルハーネス型安全帯５１を乱暴に扱ったときに、その状態で装着すると、装着ミス（不完全な装着）をすることもあった。更に、フルハーネス型安全帯の部品が紛失するおそれがあった。
【００１０】
特に、一丁掛け又は二丁掛けのフルハーネス型安全帯５１では、複数本のベルト５２，５４、５５，５６のほかに１本又は２本のランヤード６０を備えているので、これらのランヤード６０のフック６１が絡みやすかった。特許文献１の「ハーネス安全帯用のハンガー」では、ランヤード６０を掛け止めることができず、ランヤード６０、そのフック６１が他のベルト５２，５４、５５，５６、ランヤード６０に絡むことを防止できないという問題を有していた。
【００１１】
本発明の発明者は、高所作業では、作業者はフルハーネス型安全帯のみを装着するのではなく、工具ベルト６３、ヘルメット６４なども装着する必要があり、これらも掛け止めておくことができるハンガーであれば、作業開始を迅速かつ容易にできることに着目した。しかも、高所作業に必要な工具類も同じ場所に保管することで、高所の作業現場における工具忘れも確認できることにも着目した。
【００１２】
本発明は、かかる問題点を解決するために創案されたものである。すなわち、本発明の目的は、フルハーネス型安全帯の複数のベルトの他に、ランヤードも掛け止める構成にすることで、フルハーネス型安全帯のベルト、ランヤードが絡むことなく、掛け止めておくことができ、また作業者が容易に装着することもでき、更に作業現場に必要な工具類も合わせて保管することができるフルハーネス型安全帯用ハンガーを提供することにある。
【課題を解決するための手段】
【００１３】
本発明は、フルハーネス型安全帯（５１）の各ハーネス部分を主に掛け止めるフルハーネス型安全帯用ハンガー（１）であって、
鉤形状を有するフック部（２）と、該フック部（２）の下部に回動自在に連結されたハンガー本体部（３）と、から成り、
前記フック部（２）は、パイプ等の棒状部材（Ｐ）に掛け止める吊下げ用フック（５）を有し、
前記ハンガー本体部（３）は、前記フック部（２）との連結部（４）を両方から挟むように、該ハンガー本体部（３）の上部に対称的に２か所形成された、フルハーネス型安全帯（５１）の肩ベルト（５２）をそれぞれ掛け止める肩ベルト用掛止め部（９）と、
該ハンガー本体部（３）の両側に２か所開けられた、二丁掛けランヤード（６０）先端の各フック（６１）をそれぞれ掛け止める二丁掛け用穴部（１０）と、
該ハンガー本体部（３）の上下方向の中心線（ＣＬ）上に１か所開けられた、一丁掛けランヤード（６０）先端のフック（６１）を掛け止める一丁掛け用穴部（１１）と、を有する、ことを特徴とする。
【００１４】
前記フック部（２）と前記ハンガー本体部（３）の厚み（Ｌ１）は、該ハンガー本体部（３）長手方向の全長（Ｌ２）に対して１／１０〜１／１５程度の厚みを有する。
前記フック部（２）の吊下げ用フック（５）の上部に、ヘルメットの顎ひも等を掛け止めるひも類用フック（７）を、該吊下げ用フック（５）の下方に、ＩＤカード等のひも類を掛け止めるひも類用突起（８）を、それぞれ形成することができる。
前記ハンガー本体部（３）の下部に、工具用ベルト（６３）を掛け止める工具ベルト用掛止め部（１２）を、該工具ベルト用掛止め部（１２）の引っ掛かり部（１２ａ）が該ハンガー本体部（３）の上下方向の中心線（ＣＬ）の近傍に配置されるように、該中心線（ＣＬ）を挟んで２か所形成することができる。
【００１５】
前記ハンガー本体部（３）の一面に連結用凹部（２１）を形成し、該ハンガー本体部（３）の他面には該連結用凹部（２１）が着脱自在に嵌合する連結用突起（２２）を形成することができる。
【発明の効果】
【００１６】
本発明の構成では、ハンガー本体部（３）の上部に対称的に２か所形成された肩ベルト用掛止め部（９）に、フルハーネス型安全帯（５１）の肩ベルト（５２）をそれぞれ容易に掛け止めることができる。フルハーネス型安全帯用ハンガー（１）への取り付け、取り外しが容易である。しかも身体から外した状態で、ハンガー本体部（３）にフルハーネス型安全帯（５１）を掛け止めることができるので、使用に際して容易に装着でき、その装着時間を短縮でき、その上装着ミスがなくなる。
【００１７】
二丁掛け用穴部（１０）と一丁掛け用穴部（１１）が共に設けられているので、ここにランヤード（６０）先端のフック（６１）を掛け止めることができる。他のベルトに絡みやすいランヤード（６０）先端のフック（６１）がハンガー本体部（３）に固定されることで、フルハーネス型安全帯（５１）を容易に保管できる。
【００１８】
一丁掛けのランヤード（６０）先端のフック（６１）についても、ハンガー本体部（３）の中心線（ＣＬ）上に掛け止められる構造にすることで、フルハーネス型安全帯用ハンガー（１）の平衡を保つことができ、ハンガー本体部（３）が傾き、掛けているものが落下することを防止できる。
【００１９】
フルハーネス型安全帯（５１）以外に、ヘルメット（６４）、ＩＤカード、更に工具用ベルト（６３）といった高所作業に必要なものを一式保管できるため、装着時に装着忘れを防止できる。逆に、作業終了後は、工具などの道具を作業現場に忘れたか否かについても判断できる。これらのものは、ハンガー本体部（３）の中心線（ＣＬ）上、又は中心線（ＣＬ）の近くに掛け止められる構造にすることで、フルハーネス型安全帯用ハンガー（１）の平衡を保つことができ、ハンガー本体部（３）が傾き、掛けているものが落下することを防止できる。
【００２０】
ハンガー本体部（３）の一面に連結用凹部（２１）を、他面に連結用突起（２２）を形成したものは、ハンガー本体部（３）を積み上げられた状態を維持できるので、ハンガー（１）を同じ方向に積み重ねて保管することができる。このように、同じ方向に積み重ねた状態で保管できると、フック部（２）が破損しなくなる。また、嵩張ることもなく、容易に保管できる。
【図面の簡単な説明】
【００２１】
【図１】本発明のフルハーネス型安全帯用ハンガーを示す正面図である。
【図２】本発明のフルハーネス型安全帯用ハンガーを示し、（ａ）は左側面図、（ｂ）は右側面図である。
【図３】フルハーネス型安全帯用ハンガーにフルハーネス型安全帯の肩ベルトを掛け止めた状態を示す正面図である。
【図４】本発明のフルハーネス型安全帯用ハンガーを示す平面図であり、（ａ）はフック部を捻る前の状態、（ｂ）はフック部を捻った後の状態である。
【図５】本発明のフルハーネス型安全帯用ハンガーにフルハーネス型安全帯を掛け止めた状態を示す正面図である。
【図６】本発明のフルハーネス型安全帯用ハンガーの変形例１を示し、（ａ）は正面図、（ｂ）は背面図、（ｃ）は平面図である。
【図７】変形例１のフルハーネス型安全帯用ハンガーを積み重ねる状態を示す正面図である。
【図８】フルハーネス型安全帯を装着した作業者の前面側の状態を示す斜視図である。
【図９】フルハーネス型安全帯を装着した作業者の後面側の状態を示す斜視図である。
【発明を実施するための形態】
【００２２】
本発明は、鉤形状を有するフック部と、フック部の下部に回動自在に連結されたハンガー本体部とから成り、フルハーネス型安全帯の各ベルト部分を掛け止めるフルハーネス型安全帯用ハンガーである。
【実施例１】
【００２３】
以下、本発明の実施の形態を図面を参照して説明する。
＜フルハーネス型安全帯用ハンガーの構成＞
図１は本発明のフルハーネス型安全帯用ハンガーを示す正面図である。図２は本発明のフルハーネス型安全帯用ハンガーを示し、（ａ）は左側面図、（ｂ）は右側面図である。図３は本発明のフルハーネス型安全帯用ハンガーにフルハーネス型安全帯の肩ベルトを掛け止めた状態を示す正面図である。
本発明のフルハーネス型安全帯用ハンガー１は、鉤形状を有するフック部２と、フック部２の下部に回動自在に連結されたハンガー本体部３とから成るハンガーである。フック部２自体、又はフック部２とハンガー本体部３との連結部４は、荷重２０ｋｇ程度は耐えられる構造になっている。フルハーネス型安全帯５１以外に、ヘルメット６４、工具ベルト６３などを合わせると１０ｋｇ程度は超えることがある。本発明のフルハーネス型安全帯用ハンガー１を吊り下げるパイプＰの配置状態に応じて、この連結部４で向きを頻繁に変えることがあり、フック部２は重い荷重に耐えられることが望ましいからである。図示上外殻線の内側の細線は、丸み形状を示している。
【００２４】
本発明のフルハーネス型安全帯用ハンガー１は、通常の洋服用のハンガーと比較して厚く形成されている。例えば、図１と図２に示すように、フック部２とハンガー本体部３の厚みＬ１は、ハンガー本体部３の長手方向の全長Ｌ２に対して１／１０〜１／１５程度の厚みを有する。フルハーネス型安全帯用ハンガー１は、プラスチックの中空成形により製造することができる。このように所定の厚みを有することで、フルハーネス型安全帯５１の各ベルト５２，５４、５５，５６について、ハンガー本体部３の上部を面（丸み部分）で掛け止めることができ、フルハーネス型安全帯５１の使用に際して引っかかりを防止できる。使用に際しても本発明のフルハーネス型安全帯用ハンガー１から容易に取り外すことができる。
【００２５】
＜フック部の構成＞
フルハーネス型安全帯用ハンガー１のフック部２は、パイプ等の棒状部材Ｐに掛け止める吊下げ用フック５を有する。本発明のフック部２は、通常の洋服用のハンガーと比較して、ハンガー本体部３に対してフック部２が大きく形成されている。鉤状の吊下げ用フック５はある程度の立ち上がり部６を有する。これは、本発明のハンガー１にフルハーネス型安全帯５１を吊るした状態で、この立ち上がり部６を手で持って、パイプ等に吊るせるようにするためである。または容易に取り外すことができるようにするためである。
【００２６】
フック部２の吊下げ用フック５の上部に、ヘルメット６４の顎ひも等を掛け止めるひも類用フック７を形成した。このひも類用フック７は、立ち上がり部６の上方に延長するように形成された鉤状部分である。勿論、ヘルメットの顎ひも以外のものを掛け止めることも可能である。図示例では鉤状になったものを示しているが、単純に上方に伸びた棒状の部材でもよい。また、１か所に限定されず数か所設けることも可能である。
【００２７】
吊下げ用フック５の下方に、ＩＤカード等のひも類を掛け止めるひも類用突起８を、それぞれ形成した。これは、単純にひも類を掛け止める箇所である。勿論ＩＤカード以外のものを掛け止めることも可能である。
【００２８】
＜ハンガー本体部の構成＞
ハンガー本体部３は、全体として略菱形の形状を有する部材である。このハンガー本体部３の上部に、フック部２との連結部４を両方から挟むように対称的に肩ベルト用掛止め部９が２か所形成されている。文字通り、フルハーネス型安全帯５１の肩ベルト５２部分をそれぞれ掛け止めるものである。図示例では、ハンガー本体部３の上部に切り欠いた状態になったものをしている。この形状に限定されず、肩ベルト５２部分を掛け止めることができれば、ハンガー本体部３の上部に突起を形成した状態でもよい。
【００２９】
ハンガー本体部３の両側に二丁掛け用穴部１０が２か所開けられている。この二丁掛け用穴部１０には、二丁掛けランヤード６０先端の各フック６１をそれぞれ掛け止める。他のベルトに絡みやすいランヤード６０先端のフック６１がハンガー本体部３に固定されるため、フルハーネス型安全帯５１を容易に保管できる。
【００３０】
本発明のフルハーネス型安全帯用ハンガー１は、このようにハンガー本体部３の中心線ＣＬにバランスよく、物を掛け止める構造にしてハンガー本体部３が傾かないようになっている。掛けているものの落下を防止するためである。そこで、原則、肩ベルト用掛止め部９を２か所に対称配置した。同じく二丁掛け用穴部１０が２か所開けられている。
【００３１】
ハンガー本体部３の中央に一丁掛け用穴部１１は、上下方向の中心線ＣＬ上に１か所開けられている。この一丁掛け用穴部１１には、一丁掛けランヤード６０先端のフック６１を掛け止める。一丁掛け用穴部１１は、ハンガー本体部３の中央に開けたので、ハンガー本体部３の平衡を保ち、フルハーネス型安全帯用ハンガー１が傾斜することを防止する。ハンガー本体部３が傾斜しないことにより、フルハーネス型安全帯５１以外のヘルメット６４、ＩＤカード、工具ベルト６３、更には作業服などが落下することを防止できる。
【００３２】
ハンガー本体部３の下部に、対称的に工具ベルト用掛止め部１２の２か所形成されている。この工具ベルト用掛止め部１２は、文字通り工具用ベルト６３を掛け止める部分である。ハンガー本体部３の下部にあるため、工具用ベルト６３が外れづらいように、上方に傾斜した長い掛け止め棒から成る構成である。フルハーネス型安全帯５１以外に、工具ベルトといった高所作業に必要なものを一式保管できるため、装着時に装着忘れを防止できる。逆に、作業終了後は、工具などの道具を作業現場に忘れたか否かについても判断できる。
この工具ベルト用掛止め部１２は、工具ベルト用掛止め部１２の引っ掛かり部１２ａがハンガー本体部３の上下方向の中心線ＣＬの近傍に配置されるように、中心線ＣＬを挟んで２か所形成することができる。
【００３３】
本発明のフルハーネス型安全帯用ハンガー１では、対称的に掛け止めることができないものは、ハンガー本体部３の中心線ＣＬ上、又は中心線ＣＬの近くに掛け止められる構造にした。フルハーネス型安全帯用ハンガー１は、平衡を保つようにするためである。
【００３４】
ハンガー本体部３には、ネームプレート１３が貼れる部分を有する。これはネームプレート１３を粘着剤で貼れるようにする場所である。勿論、フルハーネス型安全帯５１の所有者特定するためである。ここにポケットを設けて差し込む構成にしてもよい。
【００３５】
＜使用状態の説明１＞
図４は本発明のフルハーネス型安全帯用ハンガーを示す平面図であり、（ａ）はフック部を捻る前の状態、（ｂ）はフック部を捻った後の状態である。
本発明のフルハーネス型安全帯用ハンガー１は、そのフック部２の吊下げ用フック５を、パイプ等の棒状部材Ｐに掛け止めて使用する。通常の洋服用のハンガーと同様な方法で使用する。本発明のフルハーネス型安全帯用ハンガー１は、棒状部材Ｐの長手方向と、ハンガー本体部３の長手方向が直角になるように掛け止めて使用するときは、図４（ａ）に示すように、ハンガー本体部３とフック部２のそれぞれの面が平行になるようにする。
【００３６】
本発明のフルハーネス型安全帯用ハンガー１を、棒状部材Ｐの長手方向とハンガー本体部３の長手方向と平行にして使用するときは、図４（ｂ）に示すように、フック部２をハンガー本体部３の長手方向に対して９０度捻り、掛け止めて使用する。
【００３７】
＜使用状態の説明２＞
図５は本発明のフルハーネス型安全帯用ハンガーにフルハーネス型安全帯を掛け止めた状態を示す正面図である。
本発明のフルハーネス型安全帯用ハンガー１に、フルハーネス型安全帯５１を掛け止めるときは、ハンガー本体部３の上部に対称的に２か所形成された肩ベルト用掛止め部９に、フルハーネス型安全帯５１の肩ベルト５２をそれぞれ掛け止める。更に、二丁掛けのランヤード６０先端のフック６１を二丁掛け用穴部１０にそれぞれ掛け止める。このように肩ベルト５２と共に、乱雑になりやすい二丁掛けのランヤード６０先端のフック６１がそれぞれ同じハンガー本体部３に掛け止められているので、フルハーネス型安全帯５１の各ベルト５２，５４、５５，５６やランヤード６０先端のフック６１が他のベルトに絡むことを防止できる。
なお、一丁掛け用のランヤード６０先端のフック６１は、一丁掛け用穴部１１に掛け止めることができ、フルハーネス型安全帯５１を容易に保管できる。
【００３８】
本発明のフルハーネス型安全帯用ハンガー１では、フルハーネス型安全帯５１、ランヤード６０先端のフック６１を容易に掛け止めることができ、容易に取り外すことができる。しかも身体から外した状態で、ハンガー本体部３にフルハーネス型安全帯５１を装着することができるので、装着ミスがない。
【００３９】
フルハーネス型安全帯５１以外に、ヘルメット５４、ＩＤカード、更に工具用ベルト６３といった高所作業に必要なものを一式保管できるため、装着時に装着忘れを防止できる。逆に、作業終了後は、工具などの道具を作業現場に忘れたか否かについても判断できる。
【００４０】
＜変形例１＞
図６は本発明のフルハーネス型安全帯用ハンガーの変形例１を示し、（ａ）は正面図、（ｂ）は背面図、（ｃ）は平面図である。図７は変形例１のフルハーネス型安全帯用ハンガーを積み重ねる状態を示す正面図である。
変形例１のフルハーネス型安全帯用ハンガー１は、ハンガー本体部３の一面（表面、メームプレート１３の面）に連結用凹部２１を形成し、ハンガー本体部３の他面（裏面）にこの連結用凹部２１が着脱自在に嵌合する連結用突起２２をそれぞれ形成したものである。使用していない保管中のハンガー１は、フック部２がハンガー本体部３に絡んで、取り出すときに時間を要する。また、無造作に重ねた状態であると、嵩張るだけでなく、フック部２が破損するおそれがある。この変形例１のように、同じ方向に積み重ねた状態で保管できると、フック部２が破損しなくなる。また、嵩張ることもない。容易に保管できる。
なお、ハンガー本体部３の連結用凹部２１と連結用突起２２の配置を逆にしてもよいことは勿論である。
【００４１】
図示例では、ハンガー本体部３の一面に２個の連結用凹部２１と、他面に２個の連結用突起２２を形成した状態を示している。この個数は２個に限定されず、３個、４個と自由に選択することができる。逆に、連結用凹部２１と連結用突起２２が円形以外の形状、嵌合部分を中心に回動しない形状であれば、１個のみでもよい。
【００４２】
なお、本発明は、フルハーネス型安全帯５１の複数のベルトの他に、ランヤード６０も掛け止める構成にすることで、フルハーネス型安全帯５１についてベルト５２、５４、５５，５６、ランヤード６０、フック６１が絡むことなく、掛け止めておくことができ、また作業者が容易に装着することもでき、更に作業現場に必要な工具類も合わせて保管することができれば、上述した発明の実施の形態に限定されず、本発明の要旨を逸脱しない範囲で種々変更できることは勿論である。
【産業上の利用可能性】
【００４３】
本発明は、フルハーネス型安全帯５１、ヘルメット５４、ＩＤカード、工具用ベルト６３といった高所作業に必要なものに限定されず、その他の作業服、作業道具などを保管することに利用することができる。
【符号の説明】
【００４４】
１  フルハーネス型安全帯用ハンガー
２  鉤形状を有するフック部
３  ハンガー本体部
４  連結部
５  吊下げ用フック
７  ひも類用フック
８  ひも類用突起
９  肩ベルト用掛止め部
１０  二丁掛け用穴部
１１  一丁掛け用穴部
１２  工具ベルト用掛止め部
２１  連結用凹部
２２  連結用突起
Ｌ１  ハンガー本体部の厚み
Ｌ２  ハンガー本体部の全長
Ｐ  棒状部材
ＣＬ  中心線
５１  フルハーネス型安全帯
５２  肩ベルト
６０  一丁掛けランヤード
６１  フック
【図１】
2019092941.tif 000003
【図２】
2019092941.tif 000004
【図３】
2019092941.tif 000005
【図４】
2019092941.tif 000006
【図５】
2019092941.tif 000007
【図６】
2019092941.tif 000008
【図７】
2019092941.tif 000009
【図８】
2019092941.tif 000010
【図９】
2019092941.tif 000011